(57)【特許請求の範囲】
【請求項１】
扉の屋内側に設けられた施解錠操作のための第１操作部と、
扉の屋外側に設けられた施解錠操作のための第２操作部と、
前記第１操作部及び前記第２操作部の何れかが操作されると前記扉の屋内側及び屋外側に質問信号を無線送信する送信部と、
識別情報を保持し前記質問信号を受信すると前記識別情報を含む応答信号を無線送信する携帯型の応答器から無線送信された前記応答信号を受信する受信部と、
解錠を許可する前記応答器の識別情報を格納する格納部と、
前記受信部が受信した前記応答信号に含まれる前記識別情報が前記格納部に格納されている前記識別情報と一致すると前記扉に設けられた電気錠を解錠させる制御部とを備え、
前記電気錠の制御モードとして、前記第１操作部及び前記第２操作部の何れでも解錠できる第１モードと、前記第２操作部の解錠操作では解錠されず前記第１操作部の解錠操作で解錠される第２モードとがあり、
前記受信部の受信エリアに前記応答器が一定時間以上存在すると、前記制御部は、前記電気錠の制御モードを前記第２モードとし、
前記電気錠の制御モードが前記第２モードに設定されている状態で、前記第１操作部が操作されると、前記制御部は、前記電気錠を解錠させ、かつ前記電気錠の制御モードを前記第２モードから前記第１モードに切り替えるように構成されたことを特徴とする電気錠システム。
【請求項２】
前記受信部は、前記扉の屋内側に設けられた第１受信部と、前記扉の屋外側に設けられた第２受信部とを備え、
前記電気錠の制御モードが前記第１モードに設定されている状態で、
前記第２操作部が操作された場合に、前記第１受信部の受信信号強度が前記第２受信部の受信信号強度よりも高ければ、前記制御部は前記電気錠を解錠しないように構成されたことを特徴とする請求項１に記載の電気錠システム。
【請求項３】
前記電気錠の制御モードが前記第１モードに設定されている場合に、
前記電気錠の施錠後に前記受信部の受信信号強度が一定になった状態での前記受信部の受信信号強度と、前記電気錠の施錠後に前記第２操作部が操作された時の前記受信部の受信信号強度とが同じであれば、前記制御部は前記電気錠を解錠しないように構成されたことを特徴とする請求項１又は２に記載の電気錠システム。
【請求項４】
前記受信部は、前記扉の屋内側に設けられた第１受信部と、前記扉の屋外側に設けられた第２受信部とを備え、
前記電気錠の制御モードが前記第１モードに設定されている状態で、
前記第２操作部の操作によって前記電気錠を解錠させる際に前記応答器から送信された前記応答信号の受信信号強度は前記第１受信部よりも前記第２受信部の方が高くなり、かつ前記電気錠が解錠された後に施錠された状態で、前記第２操作部が操作された際に前記応答器から送信された前記応答信号の受信信号強度は前記第１受信部よりも前記第２受信部の方が低くなると、前記制御部は前記電気錠を解錠しないように構成されたことを特徴とする請求項１〜３の何れか１項に記載の電気錠システム。
【請求項５】
前記受信部が前記応答器から送信される前記応答信号を受信していれば、受信状態を示す通知信号を出力する出力部と、
前記通知信号が入力されると報知動作を行う報知部とを備えたことを特徴とする請求項１〜４の何れか１項に記載の電気錠システム。
【請求項６】
前記応答器は電池を電源とし、
前記電気錠の制御モードおよび前記電池の残容量のうちの少なくとも何れか一方を含む状態情報を出力する出力部と、
前記出力部から入力された前記状態情報を報知する報知部とを備えたことを特徴とする請求項１〜４の何れか１項に記載の電気錠システム。
【請求項７】
前記応答器を備える請求項１〜６の何れか１項に記載の電気錠システム。
【発明の詳細な説明】
【技術分野】
【０００１】
本発明は、電気錠システムに関し、より詳細には、建物の扉に設けられた電気錠を施錠又は解錠させる電気錠システムに関する。
【背景技術】
【０００２】
従来、建物の扉に設けられた錠を電動で施錠又は解錠する錠制御システムがあった（例えば特許文献１参照）。この錠制御システムは、利用者が所持する携帯器と、携帯器と通信可能な錠制御装置とを備える。室外に設置された解錠操作スイッチが操作されると、錠制御装置は、携帯器と通信して携帯器からＩＤ情報を受信する。錠制御装置は、携帯器から受信したＩＤ情報と、錠制御装置に予め登録されているＩＤ情報とを比較し、両者が一致すると、扉に設けられた錠を解錠させている。
【０００３】
上述のような錠制御システムにおいて、錠制御装置と通信可能な場所に携帯器が置き忘れられると、室外から解錠操作スイッチが操作されることによって、錠が解錠されてしまうという問題があった。そこで、特許文献１に記載の錠制御システムでは、携帯器に動きセンサを設け、動きセンサが動きを検知している場合のみ、携帯器がＩＤ情報を送信することで、携帯器が置き忘れられた場合には、室外からの解錠操作によって電気錠が解錠されないようにしている。
【先行技術文献】
【特許文献】
【０００４】
【特許文献１】特許第５００７２１３号公報
【発明の概要】
【発明が解決しようとする課題】
【０００５】
上述のように、動きセンサが動きを検知していない場合に、携帯器（応答器）がＩＤ情報を送信しないように構成されている場合でも、携帯器に何らかの振動が加わった状態で、室外から解錠操作が行われると、意図に反して解錠されてしまう可能性があった。なお、意図に反して解錠されないように、大きな振動が加わった状態で解錠操作が行われた場合のみ解錠するように、振動に対する感度を調整すると、携帯器を持った人物が解錠操作を行った時にも解錠されにくくなり、使い勝手が悪くなるという問題がある。
【０００６】
本発明は上記課題に鑑みて為され、使い勝手を損なわずに、屋外から意図に反して解錠されにくい電気錠システムを提供することを目的とする。
【課題を解決するための手段】
【０００７】
本発明の電気錠システムは、扉の屋内側に設けられた解錠操作のための第１操作部と、扉の屋外側に設けられた解錠操作のための第２操作部と、前記第１操作部及び前記第２操作部の何れかが操作されると前記扉の屋内側及び屋外側に質問信号を無線送信する送信部と、識別情報を保持し前記質問信号を受信すると前記識別情報を含む応答信号を無線送信する携帯型の応答器から無線送信された前記応答信号を受信する受信部と、解錠を許可する前記応答器の識別情報を格納する格納部と、前記受信部が受信した前記応答信号に含まれる前記識別情報が前記格納部に格納されている前記識別情報と一致すると前記扉に設けられた電気錠を解錠させる制御部とを備える。前記電気錠の制御モードとして、前記第１操作部及び前記第２操作部の何れでも解錠できる第１モードと、前記第２操作部の解錠操作では解錠されず前記第１操作部の解錠操作で解錠される第２モードとがある。前記受信部の受信エリアに前記応答器が一定時間以上存在すると、前記制御部は、前記電気錠の制御モードを前記第２モードとするように構成される。前記電気錠の制御モードが前記第２モードに設定されている状態で、前記第１操作部が操作されると、前記制御部は、前記電気錠を解錠させ、かつ前記電気錠の制御モードを前記第２モードから前記第１モードに切り替えるように構成される。
【発明の効果】
【０００８】
本発明によれば、屋外から意図に反して解錠されにくい電気錠システムを提供することができる。
【図面の簡単な説明】
【０００９】
【図１】実施形態の電気錠システムのブロック図である。
【図２】実施形態の電気錠システムが適用された扉を屋内から見た図である。
【図３】実施形態の電気錠システムが適用された扉を屋外から見た図である。
【図４】実施形態の電気錠システムの動作を説明するシーケンス図である。
【図５】実施形態の電気錠システムの動作を説明するフローチャートである。
【図６】実施形態の電気錠システムの別の動作を説明するフローチャートである。
【図７】実施形態の電気錠システムの別の動作を説明するフローチャートである。
【図８】実施形態の電気錠システムの別の動作を説明するフローチャートである。
【図９】実施形態の電気錠システムが適用された扉の側面図である。
【図１０】実施形態の電気錠システムが適用された扉の側面図である。
【図１１】実施形態の電気錠システムの別の動作を説明するフローチャートである。
【図１２】実施形態の電気錠システムの別の動作を説明するフローチャートである。
【発明を実施するための形態】
【００１０】
以下、本発明の一実施形態に係る電気錠システムについて図面を参照して説明する。ただし、以下に説明する構成は本発明の一例に過ぎない。本発明は、以下の実施形態に限定されず、本発明に係る技術的思想を逸脱しない範囲であれば、設計等に応じて種々の変更が可能である。
【００１１】
図１は電気錠システムのブロック図である。図２は電気錠システムが適用された扉を屋内から見た図、図３は電気錠システムが適用された扉を屋外から見た図である。
【００１２】
電気錠システムは、錠制御装置１００と、電気錠２１０，２２０と、応答器３００（いわゆるタグキー）と、報知装置４００と、開閉センサ５００を備える。
【００１３】
この電気錠システムは、建物の扉１を施錠又は解錠するためのシステムである。扉１は例えば玄関扉であり、ヒンジ部３を介して扉枠２に開閉自在に取り付けられている。
【００１４】
電気錠２１０，２２０は扉１の戸先側に設けられている。本実施形態では扉１に２個の電気錠２１０，２２０が設けられているが、電気錠の個数は１個でもよいし、３個以上でもよい。
【００１５】
電気錠２１０，２２０は同様の構成を有しているので、電気錠２１０について説明し、電気錠２２０については説明を省略する。電気錠２１０は、錠２１１と駆動装置２１２と施解錠センサ２１３とを備える。錠２１１は、扉枠２に設けられた穴（図示せず）に挿入されるデッドボルト２１４を備える（図２、図３参照）。駆動装置２１２は、デッドボルト２１４を前進又は後退させるモータなどを備えている。駆動装置２１２は、錠制御装置１００から入力される駆動信号に応じてモータを回転させ、デッドボルト２１４を前進又は後退させる。デッドボルト２１４が前進して扉枠２の穴内に進入すると、扉１が施錠される。デッドボルト２１４が後退して扉枠２の穴から外に出ると、扉１が解錠される。施解錠センサ２１３は、錠２１１が施錠しているのか、解錠しているのかを検知する。
【００１６】
錠制御装置１００は、制御部１１０と、第１通信部１２１と、第２通信部１２２と、第１表示部１３１と、第２表示部１３２と、第１操作部１４１と、第２操作部１４２と、ＵＨＦ通信部１５０と、電気錠駆動回路１６１，１６２と、電源部１７０を備える。
【００１７】
制御部１１０は、例えばＲＯＭ（Read Only Memory）などのメモリに格納された制御プログラムを実行することによって所定の機能を実現するマイクロコンピュータを備える。また、制御部１１０は、タイマ１１１と、格納部１１２とを備える。格納部１１２は、フラッシュメモリなどの不揮発性メモリからなる内蔵メモリであり、解錠を許可する応答器３００の識別情報を格納する。なお、格納部１１２に識別情報が格納されている応答器３００は、電気錠２１０，２２０を解錠又は施錠する操作を許可された応答器であり、このような応答器３００を正規の応答器という。
【００１８】
第１通信部１２１は第１ＬＦ通信回路１２１１と第１ＬＦアンテナ１２１２とを備える。第１ＬＦアンテナ１２１２はコイル形のアンテナであり、扉１の屋内側に取り付けられている（図２参照）。第１ＬＦ通信回路１２１１は、第１ＬＦアンテナ１２２２を介してＬＦ（Low Frequency）帯の電波信号を送受信する。第１ＬＦ通信回路１２１１は、受信した信号の受信信号強度（Received Signal Strength Indication：ＲＳＳＩ）を測定する機能を備えている。
【００１９】
第２通信部１２２は第２ＬＦ通信回路１２２１と第２ＬＦアンテナ１２２２とを備える。第２ＬＦアンテナ１２２２はコイル形のアンテナであり、扉１の屋外側に取り付けられている（図３参照）。第２ＬＦ通信回路１２２１は、第２ＬＦアンテナ１２２２を介してＬＦ帯の電波信号を送受信する。第２ＬＦ通信回路１２２１は、受信した信号の受信信号強度を測定する機能を備えている。
【００２０】
第１表示部１３１は、例えばＬＥＤ（Light Emitting Diode）や液晶ディスプレイなどからなり、第１操作部１４１の操作状態や第１通信部１２１の動作状態などを表示する。
【００２１】
第２表示部１３２は、例えばＬＥＤや液晶ディスプレイなどからなり、第２操作部１４２の操作状態や第２通信部１２２の動作状態などを表示する。
【００２２】
第１操作部１４１は、扉１の屋内側から電気錠２１０，２２０を施解錠させるために操作される。第１操作部１４１は、扉１の屋内側に設けられた操作ボタン１４１１を備える（図２参照）。操作ボタン１４１１が操作されると、第１操作部１４１は制御部１１０に操作信号を出力する。
【００２３】
第２操作部１４２は、扉１の屋外側から電気錠２１０，２２０を施解錠させるために操作される。第２操作部１４２は、扉１の屋外側に設けられた操作ボタン１４２１を備える（図３参照）。操作ボタン１４２１が操作されると、第２操作部１４２は制御部１１０に操作信号を出力する。
【００２４】
ＵＨＦ通信部１５０はＵＨＦ通信回路１５１とＵＨＦアンテナ１５２とを備える。ＵＨＦ通信回路１５１は、ＵＨＦアンテナ１５２を用いて報知装置４００との間でＵＨＦ帯の電波信号を送受信する。
【００２５】
電気錠駆動回路１６１は、制御部１１０から入力される制御信号に応じて、電気錠２１０を施錠又は解錠させる駆動信号を電気錠２１０に出力する。
【００２６】
電気錠駆動回路１６２は、制御部１１０から入力される制御信号に応じて、電気錠２２０を施錠又は解錠させる駆動信号を電気錠２２０に出力する。
【００２７】
電源部１７０は、図３に示すように受電部６０１から電力供給を受ける。受電部６０１は、扉１の上部の戸先側に、扉枠２に設けられた送電部６０２と対向するように設けられている。建物内には、商用交流電源のような外部電源６２０に接続されて、送電部６０２に必要な電力を供給する電源装置６１０が設けられている。送電部６０２は、電源装置６１０から供給された電力を、非接触給電方式で受電部６０１に供給しており、受電部６０１から電源部１７０に電力が供給される。なお、電源部１７０は外部の電源から電力を得るものに限定されず、電池を電源としてもよい。
【００２８】
開閉センサ５００は、例えば扉枠２に取り付けられたマグネット（図示せず）と、扉１が閉じられた状態でマグネットと対向するように扉１に配置された磁気センサ（図示せず）とを備える。開閉センサ５００は、磁気センサによる磁気の検出結果をもとに、扉１が開いているか閉じているかを検知し、その検知結果を制御部１１０に出力する。
【００２９】
応答器３００は、制御部３１０と、ＬＦ通信回路３２０と、ＬＦアンテナ３３０と、表示部３４０と、操作部３５０と、電源部３６０とを備える。
【００３０】
制御部３１０は、例えばＲＯＭ（Read Only Memory）などのメモリに格納された制御プログラムを実行することによって所定の機能を実現するマイクロコンピュータを備える。制御部３１０は例えばＥＥＰＲＯＭ（Electrically Erasable and Programmable Read Only Memory）などの内蔵メモリを備え、この内蔵メモリには当該応答器３００に割り当てられた識別情報が保持されている。ＬＦ通信回路３２０が錠制御装置１００から送信された質問信号を受信すると、制御部３１０は、内蔵メモリに格納された識別情報を含む応答信号を作成し、この応答信号をＬＦ通信回路３２０から送信させる。
【００３１】
ＬＦ通信回路３２０は、コイル型のＬＦアンテナ３３０を用い、所定の周波数帯（例えばＬＦ帯）の電波で通信を行う。ＬＦ通信回路３２０は、受信した電波の受信信号強度を測定する測定部３２１を備えている。
【００３２】
ＬＦアンテナ３３０は、例えば３つの独立したコイルを直交に配置した３軸構成である。したがって、応答器３００の向きがどのような向きであっても、錠制御装置１００との間で安定した通信が行える。
【００３３】
表示部３４０は、例えばＬＥＤランプや液晶ディスプレイなどで構成され、応答器３００の動作状態などを光や文字で表示する。
【００３４】
操作部３５０は、応答器３００の電源をオン／オフする操作などを行うためのものである。
【００３５】
電源部３６０は、例えばコイン形のリチウム電池を備え、各部を駆動するための電力を供給する。
【００３６】
ここで、応答器３００の動作モードには通常モードと屋外操作禁止モードとの２つのモードがあり、錠制御装置１００によって応答器３００の動作モードが通常モード及び屋外操作禁止モードの何れかに設定される。通常モードとは、第１操作部１４１及び第２操作部１４２の何れが操作された場合でも、錠制御装置１００からの質問信号に対して、応答信号を送信する動作モードである。屋外操作禁止モードとは、第１操作部１４１が操作された場合のみ錠制御装置１００からの質問信号に対する応答信号を送信し、第２操作部１４２が操作された場合は応答信号を送信しない動作モードである。
【００３７】
報知装置４００は制御部４１０とＵＨＦ通信部４２０と報知部４３０とを備える。
【００３８】
制御部４１０は、例えばＲＯＭ（Read Only Memory）などのメモリに格納された制御プログラムを実行することによって所定の機能を実現するマイクロコンピュータを備える。
【００３９】
ＵＨＦ通信部４２０は、錠制御装置１００との間でＵＨＦ帯の電波信号を送受信する。
【００４０】
報知部４３０は、例えば表示ランプや液晶ディスプレイのような表示デバイスを備え、錠制御装置１００から受信した報知内容に応じて、光や文字で報知動作を行う。なお報知部４３０は、例えばブザーやスピーカなどを備え、錠制御装置１００から受信した報知内容を音や音声メッセージで報知してもよい。
【００４１】
次に、本実施形態の電気錠システムの動作について図４〜図１２を参照して説明する。
【００４２】
まず、電気錠システムの動作の概略を図４のシーケンス図に基づいて説明する。
【００４３】
応答器３００を携帯したユーザが、扉１の外側にある第２操作部１４２を操作すると、第２操作部１４２から制御部１１０に操作信号が出力される（ステップＳ１１）。なお、ユーザが携帯する応答器３００の識別情報は、錠制御装置１００の格納部１１２に予め格納されているものとする。また、ユーザが第２操作部１４２又は第１操作部１４１を用いて解錠操作を行う前は電気錠２１０，２２０は施錠状態であるとする。
【００４４】
制御部１１０は、第２操作部１４２から操作信号が入力されると、第１通信部１２１及び第２通信部１２２から質問信号を送信させる（ステップＳ１２）。なお、第１通信部１２１及び第２通信部１２２から送信される質問信号には、屋内側の第１操作部１４１が操作されたのか、屋外側の第２操作部１４２が操作されたのかを区別する操作情報が含まれる。
【００４５】
ユーザが携帯する応答器３００は扉１の屋外側にあり、第１通信部１２１又は第２通信部１２２から送信された質問信号を受信すると、この質問信号に対する応答信号を送信する（ステップＳ１３）。第１通信部１２１又は第２通信部１２２が応答器３００から送信された応答信号を受信すると、第１通信部１２１又は第２通信部１２２は受信した応答信号を制御部１１０に出力する。
【００４６】
制御部１１０は、応答信号に含まれる識別情報と、格納部１１２に予め格納された識別情報とを照合し、両者が一致すると、解錠命令を電気錠駆動回路１６１，１６２に出力する。電気錠駆動回路１６１，１６２に解錠命令が入力されると、電気錠駆動回路１６１によって電気錠２１０が解錠され、電気錠駆動回路１６２によって電気錠２２０が解錠される（ステップＳ１４）。電気錠２１０が錠２１１を解錠させると、施解錠センサ２１３が解錠状態を検知し、その検知結果が制御部１１０に出力される。同様に、電気錠２２０が錠２２１を解錠させると、施解錠センサ２２３が解錠状態を検知し、その検知結果が制御部１１０に出力される（ステップＳ１５）。
【００４７】
電気錠２１０，２２０が解錠された後に、ユーザが扉１を開けて建物の中に入ると、制御部１１０は、開閉センサ５００の検知結果から、扉１が開けられた後に閉じられたと判断する。制御部１１０は、扉１が閉じたと判断すると、所定時間（例えば数秒から十数秒）の経過後に施錠命令を電気錠駆動回路１６１，１６２に出力する。電気錠駆動回路１６１，１６２に施錠命令が入力されると、電気錠駆動回路１６１によって電気錠２１０が施錠され、電気錠駆動回路１６２によって電気錠２２０が施錠される（ステップＳ１６）。電気錠２１０，２２０が施錠されると、施解錠センサ２１３，２２３が施錠状態を検知し、その検知結果が制御部１１０に出力される（ステップＳ１７）。
【００４８】
ここで、応答器３００の置き忘れなどによって、第１通信部１２１及び第２通信部１２２の受信エリア内に応答器３００が存在し続ける場合、応答器を持たない人物が屋外側の第２操作部１４２を操作すると、電気錠２１０，２２０が解錠されてしまう。
【００４９】
そこで、本実施形態の電気錠システムでは、第１通信部１２１及び第２通信部１２２の受信エリア内に応答器３００が一定時間以上存在し続けると、屋外側の第２操作部１４２の解錠操作では電気錠２１０，２２０を解錠させないようにしている。すなわち、制御部１１０は、電気錠２１０，２２０の制御モードとして２つの制御モード（第１モードと第２モード）を用意している。第１モードは、第１操作部１４１及び第２操作部１４２の何れでも解錠できる制御モードである。第２モードは、第２操作部１４２の解錠操作では解錠されず第１操作部１４１の解錠操作で解錠される制御モードである。
【００５０】
本実施形態では、第１モードでは、制御部１１０は、第１操作部１４１及び第２操作部１４２のどちらが操作された場合でも質問信号に対して応答信号を返送するように応答器３００の動作モードを上述の通常モードに設定する。第２モードでは、制御部１１０は、屋内側の第１操作部１４１が操作された場合のみ質問信号に対して応答信号を返送するように応答器３００の動作モードを、上述の屋外操作禁止モードに設定する。なお、上記の一定時間とは、扉１の外側から内側に入ってきたユーザが、第１通信部１２１及び第２通信部１２２の受信エリア内に留まっていると想定される時間よりも長い時間であり数分程度の時間に設定されている。
【００５１】
図４のステップＳ１８からステップＳ２２までの動作は、第１通信部１２１及び第２通信部１２２の受信エリア内に応答器３００が存在する状態が一定時間に達していない場合の動作であり、この間は電気錠２１０，２２０の制御モードは第１モードとなっている。
【００５２】
この間に、屋外側の第２操作部１４２が操作されると、第２操作部１４２から制御部１１０に操作信号が出力される（ステップＳ１８）。
【００５３】
制御部１１０は、第２操作部１４２から操作信号が入力されると、第１通信部１２１及び第２通信部１２２から質問信号を送信させる（ステップＳ１９）。第１通信部１２１又は第２通信部１２２の受信エリア内に存在する応答器３００が質問信号を受信すると、この質問信号に対する応答信号を送信する（ステップＳ２０）。第１通信部１２１又は第２通信部１２２が応答器３００から送信された応答信号を受信すると、第１通信部１２１又は第２通信部１２２は受信した応答信号を制御部１１０に出力する。
【００５４】
ここで、制御部１１０は、応答信号を送信した応答器３００が建物の外側に存在すると判断でき、かつ、応答信号に含まれる識別情報と格納部１１２に格納された識別情報とが一致すると、解錠命令を電気錠駆動回路１６１，１６２に出力する。電気錠駆動回路１６１，１６２に解錠命令が入力されると、電気錠駆動回路１６１によって電気錠２１０が解錠され、電気錠駆動回路１６２によって電気錠２２０が解錠される（ステップＳ２１）。電気錠２１０，２２０が解錠されると、施解錠センサ２１３，２２３が施錠状態を検知し、その検知結果が制御部１１０に出力される（ステップＳ２２）。その後、開閉センサ５００によって扉１が開けられた後に閉じられたことが検出されると、制御部１１０は電気錠駆動回路１６１，１６２に施錠命令を出力して、電気錠２１０，２２０を施錠させる。
【００５５】
このように、電気錠２１０，２２０の制御モードが第１モードに設定されている状態で、屋外側の第２操作部１４２が解錠操作された場合に、応答器３００が屋外にあると判断されれば、制御部１１０は電気錠２１０，２２０を解錠させる。一方、第１モードにおいて、屋外側の第２操作部１４２が解錠操作された場合に、応答器３００が屋内にあると判断されれば、制御部１１０は電気錠２１０，２２０を解錠させておらず、この処理については後述する。
【００５６】
その後、第１通信部１２１又は第２通信部１２２の受信エリアに応答器３００が存在する状態が一定時間以上継続すると、制御部１１０は、第１通信部１２１及び第２通信部１２２から質問信号を送信させる（ステップＳ２３）。第１通信部１２１又は第２通信部１２２の受信エリアに存在する応答器３００が質問信号を受信すると、この質問信号に対する応答信号を送信する（ステップＳ２４）。第１通信部１２１又は第２通信部１２２が応答信号を受信すると、制御部１１０は、応答信号に含まれる識別情報をもとに、同じ応答器３００が受信エリアに一定時間以上存在すると判断する。制御部１１０は、第１通信部１２１及び第２通信部１２２から応答器３００を屋外操作禁止モードに設定する信号を送信させる（ステップＳ２５）。応答器３００が屋外操作禁止モードに設定されると、屋外側の第２操作部１４２が操作されても、応答器３００は錠制御装置１００から送信された質問信号に対して応答信号を返信しなくなる。よって、電気錠２１０，２２０は第２操作部１４２の解錠操作では解錠されなくなる（第２モード）。
【００５７】
一方、第２モードにおいて、屋内側の第１操作部１４１が操作されると（ステップＳ２６）、制御部１１０が第１通信部１２１及び第２通信部１２２から質問信号を送信させる（ステップＳ２７）。応答器３００は、この質問信号を受信すると、質問信号に含まれる操作情報をもとに屋内側の第１操作部１４１が操作されたと判断する。応答器３００は、屋内側の第１操作部１４１が操作された場合は、質問信号に対する応答信号を送信し、この応答信号は第１通信部１２１又は第２通信部１２２によって受信される（ステップＳ２８）。制御部１１０は、応答信号に含まれる識別情報と、格納部１１２に格納された識別情報とを照合し、両者が一致すると、第１通信部１２１及び第２通信部１２２から応答器３００を通常モードに切り替える信号を送信させる（ステップＳ２９）。また、制御部１１０は、電気錠駆動回路１６１，１６２に解錠命令を出力して、電気錠２１０，２２０を解錠させる（ステップＳ３０）。電気錠２１０，２２０が解錠すると、施解錠センサ２１３，２２３から解錠状態の検知結果が制御部１１０に入力される（ステップＳ３１）。その後、開閉センサ５００の検知結果をもとに、扉１が開けられた後に閉じられたことを検知すると、制御部１１０は、電気錠駆動回路１６１，１６２に施錠命令を出力して、電気錠２１０，２２０を施錠させる（ステップＳ３２）。電気錠２１０，２２０が施錠されると、施解錠センサ２１３，２２３から施錠状態の検知結果が制御部１１０に入力され（ステップＳ３３）、制御部１１０は施錠状態を確認すると処理を終了する。
【００５８】
電気錠システムの全体的な動作は上記の通りであり、以下では錠制御装置１００の動作を図５のフローチャートに基づいてより詳細に説明する。
【００５９】
錠制御装置１００の制御部１１０は、受信エリア内に応答器３００が存在するか否かを検知するため、予め設定された送信時間間隔が経過すると、第１通信部１２１及び第２通信部１２２から質問信号を送信させる（ステップＳ１００）。なお、錠制御装置１００が電池駆動の場合、定期的に質問信号を送信していると、電力消費が大きく電池容量の減少が早まるので、屋外側の第２操作部１４２が操作されたことをトリガとして、第１通信部１２１及び第２通信部１２２から質問信号を送信してもよい。
【００６０】
制御部１１０は、ステップＳ１００で送信させた質問信号に対して、正規の応答器３００からの応答信号がなければ（ステップＳ１０１，Ｓ１０２のＮｏ）、質問信号を再送させる（ステップＳ１００）。質問信号を所定の回数（ｎ回）送信しても、正規の応答器３００からの応答信号がなければ（ステップＳ１０３のＹｅｓ）、制御部１１０は、受信エリアに応答器３００が存在しないと判断して、処理を終了し、次の定期送信に備える。
【００６１】
制御部１１０は、ステップＳ１００で送信させた質問信号に対して、正規の応答器３００からの応答信号があれば（ステップＳ１０２のＹｅｓ）、解錠命令を電気錠駆動回路１６１，１６２に出力して、電気錠２１０，２２０を解錠させる（ステップＳ１０４）。電気錠２１０，２２０が解錠された状態で、扉１が開けられた後に扉１が閉じられると（ステップＳ１０５）、制御部１１０は、施錠命令を電気錠駆動回路１６１，１６２に出力して、電気錠２１０，２２０を施錠させる（ステップＳ１０６）。制御部１１０は、この応答器３００の識別情報を内部メモリに記憶させた後（ステップＳ１０７）、内蔵のタイマ１１１に一定時間（例えばｎ分）をカウントさせる（ステップＳ１０８）。
【００６２】
タイマ１１１が一定時間のカウントを終了すると、制御部１１０は、第１通信部１２１及び第２通信部１２２から質問信号を送信させる（ステップＳ１０９）。
【００６３】
制御部１１０は、ステップＳ１０９で送信させた質問信号に対して、正規の応答器３００からの応答信号がなければ（ステップＳ１１０，Ｓ１１１のＮｏ）、質問信号を再送させる（ステップＳ１０９）。質問信号を所定の回数（ｎ回）送信しても、正規の応答器３００からの応答信号がなければ（ステップＳ１１２のＹｅｓ）、制御部１１０は、受信エリアに応答器３００が存在しないと判断して、処理を終了する。
【００６４】
一方、制御部１１０は、ステップＳ１０９で送信させた質問信号に対して、正規の応答器３００からの応答信号があれば、この応答信号に含まれる識別情報が、ステップＳ１０７で内部メモリに記憶させた識別情報と一致するか否かを判断する（ステップＳ１１３）。
【００６５】
ステップＳ１１３の判断で別の応答器３００と判断されると（ステップＳ１１３のＮｏ）、制御部１１０はステップＳ１０４に戻って上記と同様の処理を行う。
【００６６】
ステップＳ１１３の判断で同一の応答器３００と判断されると（ステップＳ１１３のＹｅｓ）、制御部１１０は、受信エリアに同一の応答器３００が一定時間以上存在していると判断し、電気錠２１０，２２０の制御モードを第２モードとする。すなわち、制御部１１０は、第１通信部１２１及び第２通信部１２２から応答器３００に、動作モードを屋外操作禁止モードに設定する信号を送信させ、応答器３００の動作モードを屋外操作禁止モードとする（ステップＳ１１４）。
【００６７】
次に、応答器３００の動作モードが屋外操作禁止モードに設定され、電気錠２１０，２２０の制御モードが第２モードに設定されている場合の動作について図６を参照して説明する。
【００６８】
第１操作部１４１及び第２操作部１４２の何れかが操作されると（ステップＳ１２０のＹｅｓ）、制御部１１０は、第１通信部１２１及び第２通信部１２２から質問信号を送信させる（ステップＳ１２１）。この質問信号には、第１操作部１４１及び第２操作部１４２の何れが操作されたかを示す操作情報が含まれている。
【００６９】
ステップＳ１２１で送信された質問信号が応答器３００によって受信されると（ステップＳ１２２）、応答器３００の制御部３１０は、質問信号に含まれる操作情報をもとに、屋内側の第１操作部１４１が操作されたか否かを判断する（ステップＳ１２３）。
【００７０】
ステップＳ１２３において、屋外側の第２操作部１４２が操作されたと制御部３１０が判断すると（ステップＳ１２３のＮｏ）、制御部３１０は応答信号を送信させずに、処理を終了する。したがって、屋外側の第２操作部１４２が操作されても、応答器３００から応答信号が送信されず、電気錠２１０，２２０は解錠されない。
【００７１】
一方、ステップＳ１２３において、屋内側の第１操作部１４１が操作されたと制御部３１０が判断すると（ステップＳ１２３のＹｅｓ）、制御部３１０はＬＦ通信回路３２０から応答信号を送信させる（ステップＳ１２４）。
【００７２】
錠制御装置１００の制御部１１０は、ステップＳ１２４で送信させた質問信号に対して、正規の応答器３００からの応答信号がなければ（ステップＳ１２５，Ｓ１２６のＮｏ）、質問信号を再送させる（ステップＳ１２１）。質問信号を所定の回数（ｎ回）送信しても、正規の応答器３００からの応答信号がなければ（ステップＳ１２７のＹｅｓ）、制御部１１０は処理を終了する。
【００７３】
制御部１１０は、ステップＳ１２４で送信させた質問信号に対して、正規の応答器３００からの応答信号があれば、この応答信号に含まれる識別情報が、ステップＳ１０７で内部メモリに記憶させた識別情報と一致するか否かを判断する（ステップＳ１２８）。
【００７４】
ステップＳ１２８の判断で別の応答器３００と判断されると（ステップＳ１２８のＮｏ）、制御部１１０はステップＳ１３０の処理に移行する。
【００７５】
ステップＳ１２８の判断で同一の応答器３００と判断されると（ステップＳ１２８のＹｅｓ）、制御部１１０は、この応答器３００の動作モードを通常モードとする信号を第１通信部１２１及び第２通信部１２２から送信させる。この信号を受信した応答器３００は、動作モードを屋外操作禁止モードから通常モードに切り替えており、電気錠２１０，２２０の制御モードが第２モードから第１モードに切り替えられる（ステップＳ１２９）。また、制御部１１０は、電気錠駆動回路１６１，１６２に解錠命令を出力して、電気錠２１０，２２０を解錠させる（ステップＳ１３０）。そして、制御部１１０は、開閉センサ５００の検出結果をもとに、扉１が開けられた後に閉じられたと判断すると（ステップＳ１３１）、電気錠駆動回路１６１，１６２に施錠命令を出力して、電気錠２１０，２２０を施錠させる（ステップＳ１３２）。制御部１１０は、施解錠センサ２１３，２２３の出力から施錠状態を確認すると、処理を終了する。
【００７６】
ここで、制御部１１０は、第１通信部１２１又は第２通信部１２２（受信部）が応答器３００から送信される応答信号を受信していれば、受信状態を示す通知信号をＵＨＦ通信部１５０（出力部）から送信させてもよい。ＵＨＦ通信部１５０から送信された通知信号は報知装置４００のＵＨＦ通信部４２０で受信され、制御部４１０が報知部４３０に報知動作を行わせる。この報知動作によって、第１通信部１２１又は第２通信部１２２の受信エリアに応答器３００が存在していることを、ユーザに知らしめることができ、第１通信部１２１又は第２通信部１２２の受信エリアに応答器３００が置き忘れられる事態が起こりにくくなる。
【００７７】
また、応答器３００の制御部３１０は、電源部３６０の電池残量をモニタしており、電池残量を状態情報としてＬＦ通信回路３２０から錠制御装置１００に送信させてもよい。制御部１１０は、応答器３００から状態情報を受信すると、この状態情報をＵＨＦ通信部１５０から報知装置４００に送信させる。報知装置４００のＵＨＦ通信部４２０が、錠制御装置１００から送信された状態情報を受信すると、制御部４１０が報知部４３０に報知動作を行わせている。この報知動作によって、応答器３００が備える電池の電池残量をユーザに知らせ、電池残量が低下した場合には電池交換を促すことができる。また、制御部１１０は、電気錠２１０，２２０の制御モードが第１モードであるか第２モードであるかを通知する状態情報を、ＵＨＦ通信部１５０から報知装置４００に送信させてもよい。報知装置４００のＵＨＦ通信部４２０が、錠制御装置１００から送信された状態情報を受信すると、制御部４１０が報知部４３０に報知動作を行わせており、電気錠２１０，２２０の制御モードをユーザに知らしめることができる。
【００７８】
このように、第１通信部１２１及び第２通信部１２２の受信エリアに応答器３００が一定時間以上存在すると、制御部１１０は電気錠２１０，２２０の制御モードを第１モードから第２モードに切り替えている。第２モードでは、屋外側の第２操作部１４２が操作された場合、応答器３００が質問信号に対して応答信号を送信しないので、応答器３００を保持していない人物が屋外側の第２操作部１４２を操作しても、電気錠２１０，２２０が解錠されることはない。したがって、屋外から意図に反して解錠されにくい電気錠システムを提供することができる。なお、電気錠２１０，２２０の制御モードが第２モードに設定されている状態で、屋内側の第１操作部１４１が操作されると、制御部１１０は、電気錠２１０，２２０の制御モードを第２モードから第１モードに切り替える。これにより、その後は、屋内側の第１操作部１４１及び屋外側の第２操作部１４２のどちらが操作されても、応答器３００から応答信号が送信され、制御部１１０が電気錠２１０，２２０を解錠させることができる。
【００７９】
次に、電気錠２１０，２２０の制御モードが第１モードに設定されている状態で、第２操作部１４２が操作された場合に、電気錠２１０，２２０の解錠を許可又は禁止する処理について図７〜図１０を参照して説明する。なお、図７のフローチャートにおいて、図５のフローチャートに示した処理と同一の処理には、同一の符号を付してその説明は省略する。
【００８０】
ステップＳ１０８の判断で一定時間のカウントが終了していない場合、すなわち応答器３００が受信エリアに留まっている状態が一定時間に達していない場合、制御部１１０は、結合子Ａ２から図８のステップＳ１４０の処理に移行する。
【００８１】
ステップＳ１４０では、制御部１１０は、屋外側の第２操作部１４２が操作されたか否かの判断を行う。
【００８２】
ステップＳ１４０の判断で、第２操作部１４２が操作されていなければ（ステップＳ１４０のＮｏ）、制御部１１０は結合子Ａ３から図７のステップＳ１０８の処理に移行する。
【００８３】
ステップＳ１４０の判断で、屋外側の第２操作部１４２が操作されていると（ステップＳ１４０のＹｅｓ）、制御部１１０は、第１通信部１２１及び第２通信部１２２から質問信号を送信させる（ステップＳ１４１）。
【００８４】
制御部１１０は、ステップＳ１４１で送信させた質問信号に対して、正規の応答器３００からの応答信号がなければ（ステップＳ１４２，Ｓ１４３のＮｏ）、質問信号を再送させる（ステップＳ１４１）。質問信号を所定の回数（ｎ回）送信しても、正規の応答器３００からの応答信号がなければ（ステップＳ１４４のＹｅｓ）、制御部１１０は、結合子Ａ３から図７のステップＳ１０８の処理に移行する。
【００８５】
制御部１１０は、ステップＳ１４１で送信させた質問信号に対して正規の応答器３００からの応答信号があれば、屋内側の第１通信部１２１が受信した信号の受信信号強度Ｒ１と、屋外側の第２通信部１２２が受信した信号の受信信号強度Ｒ２との大小を比較する。ここで、図９に示すように応答器３００が屋内にあれば、屋内側の第１通信部１２１での受信信号強度Ｒ１が、屋外側の第２通信部１２２での受信信号強度Ｒ２よりも大きくなる。一方、図１０に示すように応答器３００が屋外にあれば、屋内側の第１通信部１２１での受信信号強度Ｒ１は、屋外側の第２通信部１２２での受信信号強度Ｒ２よりも小さくなる。
【００８６】
したがって、屋内側の第１通信部１２１での受信信号強度Ｒ１が、屋外側の第２通信部１２２での受信信号強度Ｒ２以上であれば（ステップＳ１４５のＮｏ）、制御部１１０は、認証に成功した応答器３００が屋内にあると判断する。この場合、制御部１１０は、応答器３００を持たない人物が屋外の第２操作部１４２を操作したと判断し、屋外の第２操作部１４２の操作では電気錠２１０，２２０を解錠させず、結合子Ａ３から図７のステップＳ１０８の処理に移行する。
【００８７】
一方、屋内側の第１通信部１２１での受信信号強度Ｒ１が、屋外側の第２通信部１２２での受信信号強度Ｒ２よりも小さければ（ステップＳ１４５のＹｅｓ）、制御部１１０は、認証に成功した応答器３００が屋外にあると判断する。この場合、制御部１１０は、正規の応答器３００を携帯した人物が屋外の第２操作器１４２を操作したと判断し、電気錠駆動回路１６１，１６２に解錠命令を出力して、電気錠２１０，２２０を解錠させる（ステップＳ１４６）。電気錠２１０，２２０が解錠された状態で、扉１が開けられた後に扉１が閉じられると（ステップＳ１４７）、制御部１１０は、施錠命令を電気錠駆動回路１６１，１６２に出力して、電気錠２１０，２２０を施錠させた後（ステップＳ１４８）、処理を終了する。
【００８８】
このように、電気錠２１０，２２０の制御モードが第１モードに設定された状態で、第２操作部１４２が操作された場合に、第１通信部１２１の受信信号強度が第２通信部１２２の受信信号強度よりも高ければ、制御部１１０は電気錠２１０，２２０を解錠させない。
【００８９】
屋外の第２操作部１４２が操作された場合に、扉１の屋内側に設けられた第１通信部１２１の受信信号強度が、扉１の屋外側に設けられた第２通信部１２２の受信信号強度よりも高ければ、応答器３００は扉１の屋内側にあると判断できる。この場合、制御部１１０は、電気錠２１０，２２０を解錠させていないので、意図に反して屋外側から解錠される事態が起こりにくくなる。
【００９０】
次に、応答器３００の動作モードが第１モードに設定されている状態で、第２操作部１４２が操作された場合に、電気錠２１０，２２０の解錠を許可又は禁止する別の処理について図７及び図１１を参照して説明する。なお、図７のフローチャートに示す処理については既に説明したので、その説明は省略する。また、図１１のフローチャートに示す処理は、ステップＳ１４９を除いて、図８のフローチャートに示す処理と同様であるから、同一の処理には同一の符号を付してその説明は省略する。
【００９１】
図７のステップＳ１００からステップＳ１０７までの処理は上述の説明と同様である。制御部１１０は、ステップＳ１０７の処理を行った後、第１通信部１２１が受信した応答信号の受信信号強度Ｒ１と、第２通信部１２２が受信した応答信号の受信信号強度Ｒ２とを、前回の測定値として内蔵メモリに記憶させ、ステップＳ１０８の処理に移行する。
【００９２】
ステップＳ１０８の判断で、タイマ１１１が一定時間のカウントを終了していなければ、制御部１１０は、結合子Ａ２から図１１のステップＳ１４０の処理に移行し、屋外側の第２操作部１４２が操作されたか否かを判断する。
【００９３】
ステップＳ１４０において第２操作部１４２が操作されていなければ、制御部１１０は、結合子Ａ３から図７のステップＳ１０８の処理に移行する。
【００９４】
ステップＳ１４０において第２操作部１４２が操作されると、制御部１１０は、第１通信部１２１及び第２通信部１２２から質問信号を送信させる（ステップＳ１４１）。
【００９５】
制御部１１０は、ステップＳ１４１で送信させた質問信号に対して、正規の応答器３００からの応答信号がなければ（ステップＳ１４２，Ｓ１４３のＮｏ）、質問信号を再送させる（ステップＳ１４１）。質問信号を所定の回数（ｎ回）送信しても、正規の応答器３００からの応答信号がなければ（ステップＳ１４４のＹｅｓ）、制御部１１０は、結合子Ａ３から図７のステップＳ１０８の処理に移行する。
【００９６】
制御部１１０は、質問信号に対して正規の応答器３００からの応答信号があれば（ステップＳ１４３のＹｅｓ）、扉１の屋内側にある第１通信部１２１の受信信号強度Ｒ１と、扉１の屋外側にある第２通信部１２２の受信信号強度Ｒ２との大小を比較する。ここで、制御部１１０は、ステップＳ１０１で受信した前回の受信信号強度Ｒ１，Ｒ２の大小と、ステップＳ１４２で受信した今回の受信信号強度Ｒ１，Ｒ２の大小をそれぞれ比較する。制御部１１０は、前回の受信信号強度Ｒ１，Ｒ２の大小関係がＲ１＜Ｒ２であり、今回の受信信号強度Ｒ１，Ｒ２の大小関係がＲ１＞Ｒ２であれば（ステップＳ１４９のＹｅｓ）、応答器３００が扉１の屋外側から屋内側に移動していると判断する。この場合、制御部１１０は、ステップＳ１４０において応答器３００を携帯していない人物が第２操作部１４２を操作したと判断し、電気錠２１０，２２０を解錠させず、結合子Ａ３からステップＳ１０８の処理に移行する。
【００９７】
一方、ステップＳ１４９の判定条件が成立しなければ、すなわち今回の受信信号強度Ｒ１，Ｒ２の大小関係がＲ１＜Ｒ２となれば、制御部１１０は応答器３００が扉１の外側に存在すると判断する。この場合、制御部１１０は、正規の応答器３００を携帯した人物が第２操作部１４２を操作したと判断し、電気錠駆動回路１６１，１６２に解錠命令を出力して、電気錠２１０，２２０を解錠させる（ステップＳ１４６）。電気錠２１０，２２０が解錠された状態で、扉１が開けられた後に扉１が閉じられると（ステップＳ１４７）、制御部１１０は、施錠命令を電気錠駆動回路１６１，１６２に出力して、電気錠２１０，２２０を施錠させた後（ステップＳ１４８）、処理を終了する。
【００９８】
このように、電気錠２１０，２２０の制御モードが第１モードに設定されている状態で、第２操作部１４２が操作された場合に、次の判定条件が成立すると、制御部１１０は、電気錠２１０，２２０を解錠させない。この判定条件とは、第２操作部１４２の操作によって電気錠２１０，２２０を解錠させる際に応答器３００から送信された応答信号の受信信号強度は第１通信部１２１よりも第２通信部１２２の方が高くなり、かつ電気錠２１０，２２０が解錠された後に施錠された状態で、第２操作部１４２が再度操作された際に応答器３００から送信された応答信号の受信信号強度が第１通信部１２１よりも第２通信部１２２の方が低くなるという条件である。この判定条件が成立する場合、応答器３００は扉１の屋外側から屋内側に移動したと判断でき、応答器３００を携帯していない人物が第２操作部１４２を操作したと判断できる。よって、制御部１１０が電気錠２１０，２２０を解錠させないことで、意図に反して屋外側から解錠される事態が起こりにくくなる。
【００９９】
次に、応答器３００の動作モードが第１モードに設定されている状態で、第２操作部１４２が操作された場合に、電気錠２１０，２２０の解錠を許可又は禁止する別の動作について図７及び図１２を参照して説明する。なお、図７のフローチャートに示す処理については既に説明したので、その説明は省略する。
【０１００】
図７のステップＳ１００からステップＳ１０７までの処理は上述の説明と同様である。ステップＳ１０８の判断で、タイマ１１１が一定時間のカウントを終了していなければ、制御部１１０は、結合子Ａ２からステップＳ１６０の処理に移行する。
【０１０１】
ステップＳ１６０では、制御部１１０は、ステップＳ１０１で第１通信部１２１が受信した信号の受信信号強度を前回の測定値Ｒ１１として内蔵メモリに記憶させる。
【０１０２】
その後、上記の一定時間（ｎ分）よりも短い所定のウエイト時間（ｍ分）が経過すると（ステップＳ１６１のＹｅｓ）、制御部１１０は、第１通信部１２１及び第２通信部１２２から質問信号を送信させる（ステップＳ１６２）。
【０１０３】
制御部１１０は、ステップＳ１６２で送信させた質問信号に対して、正規の応答器３００からの応答信号がなければ（ステップＳ１６３，Ｓ１６４のＮｏ）、質問信号を再送させる（ステップＳ１６２）。質問信号を所定の回数（ｎ回）送信しても、正規の応答器３００からの応答信号がなければ（ステップＳ１６５のＹｅｓ）、制御部１１０は、結合子Ａ３から図７のステップＳ１０８の処理に移行する。
【０１０４】
制御部１１０は、質問信号に対して正規の応答器３００からの応答信号があれば（ステップＳ１６４のＹｅｓ）、ステップＳ１６３で第１通信部１２１が受信した信号の受信信号強度を今回の測定値Ｒ１２として内蔵メモリに記憶させる（ステップＳ１６６）。
【０１０５】
次に、制御部１１０は、前回の測定値Ｒ１１と今回の測定値Ｒ１２とが同じ値か否かを判断する（ステップＳ１６７）。ここにおいて、前回の測定値Ｒ１１と今回の測定値Ｒ１２とが同じ値であることは、全く同一の値となることに限定されず、測定値Ｒ１１と測定値Ｒ１２との差が誤差の範囲に収まり、ほぼ同一の値と見なせる場合も含んでいる。
【０１０６】
ステップＳ１６７の判断で、前回の測定値Ｒ１１と今回の測定値Ｒ１２が異なっていれば（ステップＳ１６７のＮｏ）、制御部１１０は、今回の測定値Ｒ１２を前回の測定値Ｒ１１として内蔵メモリに記憶させた後、ステップＳ１６１の処理に戻る。
【０１０７】
ステップＳ１６７の判断で前回の測定値Ｒ１１と今回の測定値Ｒ１２が同じ値と判断されると（ステップＳ１６７のＹｅｓ）、制御部１１０は、応答器３００が受信エリア内で停止したと判断し、今回の測定値Ｒ１２を判定値Ｒ１０として内蔵メモリに記憶させる。そして、制御部１１０は、屋外側の第２操作部１４２が操作されたか否かを判断する（ステップＳ１６９）。
【０１０８】
ここで、第２操作部１４２が操作されていなければ（ステップＳ１６９のＮｏ）、制御部１１０は、結合子Ａ３から図７のステップＳ１０８の処理に移行する。
【０１０９】
一方、第２操作部１４２が操作されると（ステップＳ１６９のＹｅｓ）、制御部１１０は、第１通信部１２１及び第２通信部１２２から質問信号を送信させる（ステップＳ１７０）。
【０１１０】
制御部１１０は、ステップＳ１７０で送信させた質問信号に対して正規の応答器３００からの応答信号がなければ（ステップＳ１７１，Ｓ１７２のＮｏ）、質問信号を再送させる（ステップＳ１７０）。質問信号を所定の回数（ｎ回）送信しても、正規の応答器３００からの応答信号がなければ（ステップＳ１７３のＹｅｓ）、制御部１１０は、結合子Ａ３から図７のステップＳ１０８の処理に移行する。
【０１１１】
制御部１１０は、質問信号に対して正規の応答器３００からの応答信号があれば（ステップＳ１７２のＹｅｓ）、ステップＳ１７１で第１通信部１２１が受信した信号の受信信号強度Ｒ１３と判定値Ｒ１０が同じ値か否かを判断する（ステップＳ１７４）。ここにおいて、受信信号強度Ｒ１３と判定値Ｒ１０とが同じ値であることは、全く同一の値となることに限定されず、受信信号強度Ｒ１３と判定値Ｒ１０との差が誤差の範囲に収まり、ほぼ同一の値と見なせる場合も含んでいる。
【０１１２】
そして、ステップＳ１７４の判断で、受信信号強度Ｒ１３と判定値Ｒ１０とが同じ値であれば（ステップＳ１７４のＹｅｓ）、制御部１１０は、応答器３００の位置が動いていないと判断する。この場合、ステップＳ１７１で応答信号を送信した応答器３００は、ステップＳ１６９で屋外の第２操作部１４２を操作した人物によって携帯されていないと判断できるので、制御部１１０は電気錠２１０，２２０を解錠させない。制御部１１０は、結合子Ａ３から図７のステップＳ１０８の処理に移行する。
【０１１３】
一方、ステップＳ１７４の判断で、受信信号強度Ｒ１３と判定値Ｒ１０とが同じ値でなければ（ステップＳ１７４のＮｏ）、制御部１１０は、ステップＳ１７１において別の応答器３００から応答信号を受信したと判断し、電気錠２１０，２２０を解錠させる。この場合、制御部１１０は、電気錠駆動回路１６１，１６２に解錠命令を出力して、電気錠２１０，２２０を解錠させる（ステップＳ１７５）。電気錠２１０，２２０が解錠された状態で、扉１が開けられた後に扉１が閉じられると（ステップＳ１７６）、制御部１１０は、施錠命令を電気錠駆動回路１６１，１６２に出力して、電気錠２１０，２２０を施錠させた後（ステップＳ１７７）、処理を終了する。
【０１１４】
このように、電気錠２１０，２２０の制御モードが第１モードに設定されている状態で、第２操作部１４２が操作された場合に、次の判定条件が成立すると、制御部１１０は、電気錠２１０，２２０を解錠させない。この判定条件とは、電気錠２１０，２２０を施錠した後に第１通信部１２１の受信信号強度が一定になった状態での受信信号強度と、その後に第２操作部１４２が操作された時の第１通信部１２１の受信信号強度とが同じであるという条件である。この判定条件が成立する場合、応答器３００は同じ場所に留まっており、応答器３００を持たない人物が第２操作部１４２を操作したと判断される。したがって、制御部３１０が電気錠２１０，２２０を解錠させないことで、意図に反して屋外側から解錠される事態が起こりにくくなる。
【０１１５】
なお、制御部１１０は、屋内側にある第１通信部１２１の受信信号強度をもとに上記の判定を行っているが、屋外側にある第２通信部１２２の受信信号強度をもとに上記の判定を行ってもよい。
【０１１６】
なお本実施形態では、第２モードにおいて、屋外側の第２操作部１４２が操作された場合に応答器３００から応答信号を送信させないことで解錠を禁止しているが、第２操作部１４２の操作による解錠を禁止する方法は上記の方法に限定されない。例えば制御部１１０は、第２モードにおいて第２操作部１４２が操作された場合に応答器３００から送信される応答信号を無効にしてもよく、応答器３００から送信される応答信号を受け付けないことで、第２操作部１４２の操作による解錠を禁止してもよい。
【０１１７】
以上のように本実施形態の電気錠システムは、第１操作部１４１と、第２操作部１４２と、送信部（第１通信部１２１、第２通信部１２２）と、携帯型の応答器３００と、受信部（第１通信部１２１、第２通信部１２２）と、格納部１１２と、制御部１１０を備える。第１操作部１４１は、扉１の屋内側に設けられた施解錠操作のための操作部である。第２操作部１４２は、扉１の屋外側に設けられた施解錠操作のための操作部である。送信部（第１通信部１２１、第２通信部１２２）は、第１操作部１４１及び第２操作部１４２の何れかが操作されると扉１の屋内側及び屋外側に質問信号を無線送信する。応答器３００は、識別情報を保持し、質問信号を受信すると識別情報を含む応答信号を無線送信する。受信部（第１通信部１２１、第２通信部１２２）は応答器３００から無線送信された応答信号を受信する。格納部１１２は、解錠を許可する応答器３００の識別情報を格納する。制御部１１０は、受信部が受信した応答信号に含まれる識別情報が格納部１１２に格納されている識別情報と一致すると扉１に設けられた電気錠２１０，２２０を解錠させる。電気錠２１０，２２０の制御モードとして、第１操作部１４１及び第２操作部１４２の両方から解錠操作が可能な第１モードと、第２操作部１４２からは解錠操作が行えず第１操作部１４１からは解錠操作が行える第２モードとがある。受信部の受信エリアに応答器３００が一定時間以上存在すると、制御部１１０は、電気錠２１０，２２０の制御モードを第２モードとする。電気錠２１０，２２０の制御モードが第２モードに設定されている状態で、第１操作部１４１が操作されると、制御部１１０は、電気錠２１０，２２０を解錠させ、かつ電気錠２１０，２２０の制御モードを第２モードから第１モードに切り替えるように構成される。
【０１１８】
このように、受信部の受信エリアに応答器３００が一定時間以上存在すると、制御部１１０は電気錠２１０，２２０の制御モードを第１モードから第２モードに切り替えている。第２モードでは、屋外側の第２操作部１４２の操作では電気錠２１０，２２０が解錠されないので、応答器３００を保持していない人物が屋外側の第２操作部１４２を操作しても、電気錠２１０，２２０が解錠されることはない。また、制御モードが第２モードに設定された状態で、屋内側にいる人物が屋外側に出るために第１操作部１４１を操作すると、制御モードが第２モードから第１モードに切り替えられ、屋外側の第２操作部１４２を用いて解錠操作を行えるようになる。したがって、使い勝手を損なわずに、屋外から意図に反して解錠されにくい電気錠システムを提供することができる。
【０１１９】
また本実施形態の電気錠システムにおいて、受信部は、扉１の屋内側に設けられた第１受信部（第１通信部１２１）と、扉１の屋外側に設けられた第２受信部（第２通信部１２２）とを備えてもよい。電気錠２１０，２２０の制御モードが第１モードに設定されている状態で、第２操作部１４２が操作された場合に、第１受信部の受信信号強度が第２受信部の受信信号強度よりも高ければ、制御部１１０は電気錠２１０，２２０を解錠しないように構成されてもよい。
【０１２０】
屋外の第２操作部１４２が操作された場合に、扉１の屋内側に設けられた第１受信部の受信信号強度が、扉１の屋外側に設けられた第２受信部の受信信号強度よりも高ければ、応答器３００は扉１の屋内側にあると判断できる。この場合、制御部１１０は、電気錠２１０，２２０を解錠させていないので、意図に反して屋外側から解錠される事態が起こりにくくなる。
【０１２１】
また本実施形態の電気錠システムにおいて、電気錠２１０，２２０の制御モードが第１モードに設定されている場合に、制御部１１０は以下のような動作を行ってもよい。電気錠２１０，２２０の施錠後に受信部（第１通信部１２１又は第２通信部１２２）の受信信号強度が一定になった状態での受信部の受信信号強度と、電気錠２１０，２２０の施錠後に第２操作部１４２が操作された時の受信部の受信信号強度とが同じであれば、制御部１１０は電気錠２１０，２２０を解錠しないように構成される。
【０１２２】
電気錠２１０，２２０の施錠後に受信部の受信信号強度が一定になった状態での受信信号強度と、その後に第２操作部１４２が操作された時の受信信号強度とが同じであれば、応答器３００は同じ場所に留まっていると判断される。この場合、応答器３００を携帯していない人物が第２操作部１４２を操作したと判断できるので、制御部３１０が電気錠２１０，２２０を解錠させないことで、意図に反して屋外側から解錠される事態が起こりにくくなる。
【０１２３】
また本実施形態の電気錠システムにおいて、受信部は、扉１の屋内側に設けられた第１受信部（第１通信部１２１）と、扉１の屋外側に設けられた第２受信部（第２通信部１２２）とを備えてもよい。電気錠２１０，２２０の制御モードが第１モードに設定されている状態で、第２操作部１４２の操作によって電気錠２１０，２２０を解錠させる際に応答器３００から送信された応答信号の受信信号強度は第１受信部（第１通信部１２１）よりも第２受信部（第２通信部１２２）の方が高くなり、かつ電気錠２１０，２２０が解錠された後に施錠された状態で、第２操作部１４２が操作された際に応答器３００から送信された応答信号の受信信号強度は第１受信部よりも第２受信部の方が低くなると、制御部１１０は電気錠２１０，２２０を解錠しないように構成されてもよい。
【０１２４】
第２操作部１４２の操作によって電気錠２１０，２２０を解錠させる際に応答器３００から送信された応答信号の受信信号強度は第１受信部よりも第２受信部の方が高くなり、かつ電気錠２１０，２２０が解錠された後に施錠された状態で、第２操作部１４２が再び操作された際に応答器３００から送信された応答信号の受信信号強度は第１受信部よりも第２受信部の方が低くなるという判定条件が成立する場合、応答器３００は扉１の屋外側から屋内側に移動したと判断される。したがって、応答器３００を携帯していない人物が第２操作部１４２を操作したと判断できるので、制御部１１０が電気錠２１０，２２０を解錠させないことで、意図に反して屋外側から解錠される事態が起こりにくくなる。
【０１２５】
また電気錠システムは、出力部（ＵＨＦ通信部１５０）と、報知部（報知装置４００）を備えてもよい。出力部（ＵＨＦ通信部１５０）は、受信部（第１通信部１２１、第２通信部１２２）が応答器３００から送信される応答信号を受信していれば、受信状態を示す通知信号を出力する。報知部（報知装置４００）は、通知信号が入力されると報知動作を行う。
【０１２６】
応答器３００からの応答信号を受信部が受信していることを報知装置４００が報知するので、受信部の受信エリアに応答器３００が存在することをユーザに知らしめることができ、応答器３００の置き忘れが起こりにくくなる。
【０１２７】
また本実施形態の電気錠システムにおいて、応答器３００は電池を電源とし、出力部（ＵＨＦ通信部１５０）と、報知部（報知装置４００）とを備えてもよい。出力部（ＵＨＦ通信部１５０）は、電気錠２１０，２２０の制御モードおよび電池の残容量のうちの少なくとも何れか一方を含む状態情報を出力する。報知部（報知装置４００）は、出力部から入力された状態情報を報知する。
【０１２８】
報知装置４００は、電気錠２１０，２２０の制御モードおよび電池の残容量のうちの少なくとも何れか一方を含む状態情報を報知しているので、これらの状態情報をユーザに知らせることができる。
【符号の説明】
【０１２９】
１  扉
１１０  制御部
１１２  格納部
１２１  第１通信部（送信部、受信部、第１受信部）
１２２  第２通信部（送信部、受信部、第２受信部）
１４１  第１操作部
１４２  第２操作部
１５０  ＵＨＦ通信部（出力部）
２１０，２２０  電気錠
３００  応答器
４００  報知装置（報知部）
【図１】
0006403051.tif 000002
【図２】
0006403051.tif 000003
【図３】
0006403051.tif 000004
【図４】
0006403051.tif 000005
【図５】
0006403051.tif 000006
【図６】
0006403051.tif 000007
【図７】
0006403051.tif 000008
【図８】
0006403051.tif 000009
【図９】
0006403051.tif 000010
【図１０】
0006403051.tif 000011
【図１１】
0006403051.tif 000012
【図１２】
0006403051.tif 000013